(57)【要約】【課題】ＬＥＤ点灯ユニットのＬＥＤ駆動出力を評価して、その良否を判断できるようにし、調査作業を効率化して負担の軽減を図ることができるＬＥＤ点灯ユニット検査装置を提供することを目的とする。【解決手段】本発明は、パルス幅変調されたＬＥＤ駆動出力を発生するＬＥＤ点灯ユニット１０の前記ＬＥＤ駆動出力を、波高値とパルス幅変調値とに分けて各々を評価する評価手段６を備えている。また、評価手段６は、複数の光度比率に対応した複数の判定部６５〜６１を有しているＬＥＤ点灯ユニット検査装置１である。【選択図】図２
2012009361.tif 000002
【特許請求の範囲】
【請求項１】
パルス幅変調されたＬＥＤ駆動出力を発生するＬＥＤ点灯ユニットの前記ＬＥＤ駆動出力を、波高値とパルス幅変調値とに分けて各々を評価する評価手段を具備することを特徴とするＬＥＤ点灯ユニット検査装置。
【請求項２】
複数の光度比率に応じた電流を出力可能な可変電流源と；
前記複数の光度比率に対応した複数の判定部を有する請求項１に記載の評価手段と；
前記可変電流源の出力電流に対応して前記複数の判定部のうち、いずれか一つを選択する自動切換手段と；
を具備することを特徴とするＬＥＤ点灯ユニット検査装置。
【発明の詳細な説明】
【技術分野】
【０００１】
本発明の実施形態は、例えば、空港、飛行場等に設置されるＬＥＤ式航空標識灯における点灯ユニット検査装置に関する。
【背景技術】
【０００２】
空港、飛行場等の滑走路や誘導路に設置される航空標識灯としてＬＥＤ式航空標識灯が知られている。このＬＥＤ式航空標識灯は、光源としてＬＥＤを用い、ＬＥＤ点灯ユニットによってＬＥＤを調光度に応じたパルス幅変調（ＰＷＭ）制御信号で点灯制御するものである。
【０００３】
この航空標識灯は、航空機の離着陸や地上走行に必要な視覚的情報を提供し、航空機の安全運航を支える重要な役目を担っている。そのため、このＬＥＤ式航空標識灯が不点灯などの不調状態の場合、標識灯のどの部分が不調なのかを調査し、不調部分を修理又は交換し、標識灯として速やかに復帰させる必要がある。
【先行技術文献】
【特許文献】
【０００４】
【特許文献１】特開２００６−１３９７５５号公報
【発明の概要】
【発明が解決しようとする課題】
【０００５】
しかしながら、ＬＥＤ式航空標識灯におけるＬＥＤ点灯ユニットは、複雑な制御回路を有しており、不調か否か、すなわち、良否の判断を行う場合、その調査作業に手間と時間を要し、経済的な負担を招来する。
【０００６】
本発明は、上記課題に鑑みなされたもので、ＬＥＤ点灯ユニットのＬＥＤ駆動出力を評価し、その良否を判断できるようにし、調査作業を効率化して負担の軽減を図ることができるＬＥＤ点灯ユニット検査装置を提供することを目的とする。
【課題を解決するための手段】
【０００７】
本発明のＬＥＤ点灯ユニット検査装置は、パルス幅変調されたＬＥＤ駆動出力を発生するＬＥＤ点灯ユニットの前記ＬＥＤ駆動出力を、波高値とパルス幅変調値とに分けて各々を評価する評価手段を具備することを特徴とする。
【発明の効果】
【０００８】
本発明によれば、ＬＥＤ点灯ユニットのＬＥＤ駆動出力を評価して、その良否を判断できるようにしたので、調査作業を効率化して負担の軽減を図ることができるＬＥＤ点灯ユニット検査装置を提供することが可能となる。
【図面の簡単な説明】
【０００９】
【図１】本発明の実施形態に係るＬＥＤ点灯ユニット検査装置の操作部を示す平面図である。
【図２】同ＬＥＤ点灯ユニット検査装置を示すブロック構成図である。
【図３】ＬＥＤ点灯ユニットを示すブロック構成図である。
【図４】ＬＥＤ駆動出力（ＰＷＭの出力電流波形）を示す波形図である。
【発明を実施するための形態】
【００１０】
以下、本発明の実施形態に係るＬＥＤ点灯ユニット検査装置ついて図１乃至図４を参照して説明する。
【００１１】
まず、本実施形態の前提となるＬＥＤ点灯ユニット１０について図３及び図４を参照して説明する。図３は、ＬＥＤ点灯ユニット１０のブロック構成図を示している。このＬＥＤ点灯ユニット１０は、空港、飛行場等の滑走路や誘導路に設置されるＬＥＤ式航空標識灯ＬGに設けられる。ＬＥＤ式航空標識灯ＬGは、滑走路や誘導路に埋設され、所定配光を有する光ビームを放射するようになっている。
【００１２】
ＬＥＤ点灯ユニット１０には、光源として複数のＬＥＤ１１が接続されている。また、ＬＥＤ点灯ユニット１０には、絶縁トランスを介して交流定電流源ＣＣＲが接続されている。交流定電流源ＣＣＲには、光度比率に応じた出力電流に切換えるための調光タップが設けられていて、光度比率を１００％（タップ５、６．６Ａ）、２５％（タップ４、５．２Ａ）、５％（タップ３、４．１Ａ）、１％（タップ２、３．４Ａ）及び０．２％（タップ１、２．８Ａ）の５段階のうち、所望の段階を選択できるようになっている。
【００１３】
この調光タップは、周囲の明るさが変化しても標識灯ＬGの見え方を良好に維持するため、周囲の明るさに応じて光度比率を切換えられるようにするために設けられている。
【００１４】
交流定電流源ＣＣＲの出力端には、整流回路１２、定電圧回路１３が接続され、定電圧回路１３の両端にはスイッチング制御回路１４を介して負荷としてのＬＥＤ１１が接続されている。さらに、交流定電流源ＣＣＲの出力端には、判定回路１５、パルス幅変調（ＰＷＭ）制御回路１６が接続され、このパルス幅変調制御回路１６は、前記スイッチング制御回路１４に接続されている。
【００１５】
このような構成において、交流定電流源ＣＣＲによって所定の調光タップが選択されると、その出力電流が検出され、判定回路１５に入力される。判定回路１５では、検出電流に基づき、光度比率を判定し、判定結果をパルス幅変調制御回路１６に送出する。
【００１６】
パルス幅変調制御回路１６では、入力された判定結果に基づいて、パルス幅変調制御信号を生成してスイッチング制御回路１４に送出する。スイッチング制御回路１４は、定電圧回路１３からの直流出力をパルス幅変調制御回路１６から送出されたパルス幅変調制御信号に基づいてＰＷＭ制御し、ＬＥＤ駆動出力としてＬＥＤ１１に供給する。これによって、ＬＥＤ１１は、光度比率に従った光度で点灯制御される。
【００１７】
したがって、ＬＥＤ点灯ユニット１０からの前記ＬＥＤ駆動出力は、例えば、図４に示すようなＰＷＭの出力電流波形となる。この出力電流波形は、パルス波形であり、波高値は一定であり、調光量（光度比率）はデューティ比で決定されている。因みに、調光タップが大きい場合には、デューティ比は大きくなる。
【００１８】
次に、図１及び図２は、ＬＥＤ点灯ユニット検査装置１を示している。図１は、ＬＥＤ点灯ユニット検査装置１の操作部２を示しており、図２は、ＬＥＤ点灯ユニット検査装置１のブロック構成図を示している。
【００１９】
図１に示すように、操作部２には、電源スイッチＳＷが設けられ、入力電流調整用のスライダック（登録商標）の操作摘み２ａが設けられている。また、選択された調光タップの表示部２ｂ（タップ５〜タップ１）が設けられており、その横には、検査結果の表示として、波高値判定及びＰＷＭ値判定に基づく判定結果の表示部２ｃが設けられている。この判定結果の表示部２ｃは、それぞれ「Ｌｏ」「正常」「Ｈｉ」で表示される。これら表示部２ｂ、２ｃは、いずれもＬＥＤ等の光学的手段を用いて表示されるようになっていて、例えば、「Ｌｏ」の場合は青色、「正常」の場合は緑色、「Ｈｉ」の場合は赤色が点灯して対応するようになっている。また、電流値がデジタルで表示される表示部２ｄが設けられている。
【００２０】
図２に示すようにＬＥＤ点灯ユニット検査装置１は、可変電流源３、自動切換手段４、ＬＥＤ駆動出力検知手段５及び評価手段６を備えている。入力電源としては、商用交流電源ＡＣが用いられ、この両端には電源スイッチＳＷを介して可変電流源３が接続されている。可変電流源３は、スライダック（登録商標）Ｓｄと、降圧トランスＴｒと、デジタル電流計Ａｍと、ダミー負荷Ｌｄとから構成されている。
【００２１】
スライダック（登録商標）Ｓｄの出力端には、降圧トランスＴｒが接続されている。また、降圧トランスＴｒの一端側は、デジタル電流計Ａｍを介して出力端子Ｔｏに接続されており、他端側は、ダミー負荷Ｌｄを介して他方の出力端子Ｔｏに接続されている。
【００２２】
前記降圧トランスＴｒとダミー負荷Ｌｄとの間には、自動切換手段４が接続されている。この自動切換手段４は、入力電流検出部４１、タップ判定部４２、タップ切換部４３、タップ切換スイッチ４４から構成されている。なお、このタップ切換スイッチ４４は、補助電源用トランスＴｓ及び定電圧回路Ｃｖを介して入力電源側に接続されており、調光タップ５〜タップ１を切換えて後述する評価手段６の複数の判定部６５〜６１のうち、いずれか一つを選択するものである。
【００２３】
ＬＥＤ駆動出力検知手段５は、疑似負荷Ｌｐを介して入力端子Ｔｉに接続されている。ＬＥＤ駆動出力検知手段５には、ＰＷＭ制御されたＬＥＤ駆動出力（図５参照）、すなわち、ＬＥＤ電流信号出力が疑似負荷Ｌｐを通して入力される。ＬＥＤ駆動出力検知手段５には、ＬＥＤ電流信号出力が入力されるＬＥＤ電流信号入力部５１、信号増幅部５２、ＰＷＭ制御された信号の波高値を検出する波高値検知部５３及び平均値検知部５４が設けられている。
【００２４】
波高値検知部５３は、ピーク値検知回路を有しており、ＬＥＤ駆動出力は、このピーク値検知回路によって波高値が検出される。また、平均値検知部５４は、レベル検知回路を有しており、ＬＥＤ駆動出力を平均値に変換し、平坦化してそのレベルをレベル検知回路によって検出する。なお、この場合、ＬＥＤ駆動出力を実効値に変換してそのレベルをレベル検知回路によって検出するようにしてもよい。
【００２５】
評価手段６は、調光タップ５〜タップ１に対応して５つの判定部６５〜６１を有しており、各判定部６５〜６１には、それぞれ波高値判定部６５ａ〜６１ａ及びＰＷＭ値判定部６５ｂ〜６１ｂが設けられている。評価手段６は、ＬＥＤ駆動出力を波高値と平均値化されたＰＷＭ値とに分けて各々の成分を評価してその良否の判定を行う機能を有している。
【００２６】
各判定部６５〜６１は、調光タップ５〜タップ１に応じた波高値及びＰＷＭ値の基準データテーブルを有しており、ＬＥＤ駆動出力の波高値とＰＷＭ値とは、この基準データテーブルの値と比較されて評価され良否が判定される。
また、評価手段６によるＬＥＤ駆動出力の評価結果、つまり、各判定部６５〜６１の判定結果は、操作部２の表示部２ｃに出力されるようになっている。
被検査対象としてのＬＥＤ点灯ユニット１０は、入力側がＬＥＤ点灯ユニット検査装置１の出力端子Ｔｏに接続され、出力側が入力端子Ｔｉに接続される。
【００２７】
次に、上記のように構成されたＬＥＤ点灯ユニット検査装置１の動作を説明する。例えば、光度比率１００％で調光タップ５の場合を仮定する。この場合は、ＬＥＤ点灯ユニット１０に入力される電流は６．６Ａである。
【００２８】
まず、ＬＥＤ点灯ユニット検査装置１に電源を投入する。そして可変電流源３によってＬＥＤ点灯ユニット１０に６．６Ａの電流を入力する。具体的には、スライダック（登録商標）Ｓｄの操作摘み２ａをデジタル電流計Ａｍの表示部２ｄを見ながら６．６Ａに調整する。これによって、ＬＥＤ点灯ユニット１０には、調光タップ５に相当する６．６Ａの電流が入力される。
【００２９】
この場合、この入力電流が自動切換手段４によって検出される。具体的には、入力電流検出部４１によって検出され、さらにタップ判定部４２によって調光タップのどの段階に相当するものかが判定される。ここでは、調光タップ５と判定され、その判定結果がタップ切換部４３に送信され、タップ切換部４３からタップ切換スイッチ４４へタップ５の選択信号が送出される。これによって、タップ切換スイッチ４４がタップ５に接続され、評価手段６の判定部６５〜６１のうち、判定部６５に接続され選択される。
【００３０】
したがって、自動切換手段４は、入力電流によって調光タップの段階を自動的に判断し、判定部６５〜６１のうち、それに対応するいずれか一つを自動的に選択する機能を有している。
【００３１】
ＬＥＤ点灯ユニット１０からＬＥＤ駆動出力検知手段５に入力されたＰＷＭ制御されたＬＥＤ駆動出力は、信号増幅部５２で増幅され、その出力が波高値検知部５３及び平均値検知部５４に送出される。波高値検知部５３では、出力の波高値を検出し、その検出結果（Ａ）を判定部６５の波高値判定部６５ａに送信する。一方、平均値検知部５４では、出力の平均値を検出し、その検出結果（Ｂ）を判定部６５のＰＷＭ値判定部６５ｂに送信する。
【００３２】
波高値判定部６５ａ及びＰＷＭ値判定部６５ｂでは、前記波高値と出力の平均値、すなわち、ＰＷＭ値とをそれぞれ基準データテーブルの値と比較して評価し、その結果（Ｃ）、（Ｄ）を操作部２の表示部２ｃに表示する。
【００３３】
例えば、ＬＥＤ点灯ユニット１０が不調状態の場合、波高値、ＰＷＭ値が過小になったり、過大になったりする。したがって、このような状態を基準データテーブルの値と比較することにより評価することが可能となる。波高値が小さいときには、操作部２における波高値判定は「Ｌｏ」、波高値が大きいときには、波高値判定は「Ｈｉ」が表示される。これらは不調状態であることを表示しており、正常のときには、「正常」が表示される。ＰＷＭ値判定の表示についても同様である。このような動作は、ＣＰＵやメモリを備えた制御装置を用いることによって実行できる。
【００３４】
なお、以上の動作は、可変電流源３によって調光タップ４〜１に相当する電流をＬＥＤ点灯ユニット１０に入力した場合も同様である。各調光タップ４〜１に応じた検査を行うことができる。
【００３５】
以上のように本実施形態によれば、ＬＥＤ点灯ユニット１０のＬＥＤ駆動出力を評価して、その良否を判断できるようにしたので、調査作業を効率化して負担の軽減を図ることができる。また、ＰＷＭ制御されたＬＥＤ駆動出力の波高値とＰＷＭ値との双方を評価するようにしたので検査の信頼性が高いＬＥＤ点灯ユニット検査装置１を提供することが可能となる。
【００３６】
さらに、自動切換手段４は、入力電流によって調光タップの段階を自動的に判断し、判定部６５〜６１を自動的に選択するようになっているので検査作業が効率的となる。
なお、本発明は、上記実施形態の構成に限定されることなく、発明の要旨を逸脱しない範囲で種々の変形が可能である。
【符号の説明】
【００３７】
１・・・ＬＥＤ点灯ユニット検査装置、２・・・操作部、３・・・可変電流源、
４・・・自動切換手段、６・・・評価手段、１０・・・ＬＥＤ点灯ユニット、
６５〜６１・・・判定部
【図１】
2012009361.tif 000003
【図２】
2012009361.tif 000004
【図３】
2012009361.tif 000005
【図４】
2012009361.tif 000006